(57)【特許請求の範囲】
【請求項１】
コップを逆さまに保管できるようにした衛生的なコップにおいて、
中身が入れられるコップ（１）と把持部兼用受け台（２）を別々に形成したことと、
中身が入れられるコップ（１）の側面に凸条部（３）を備え、
把持部兼用受け台（２）の上端には凹溝部（５）を備えたことと、
凸条部（３）の外部に凸条（４）を備え、凹溝部（５）の内部に凹溝（６、６’）を備えたことと、
コップ（１）と把持部兼用受け台（２）を組み合わせてコップ（１）の入口が上方を向いたとき、
凸条（４）と凹溝（６）が係合されるように同じ位置に形成したことと、
把持部兼用受け台（２）はそのままに放置し、コップ（１）のみを回転してコップ（１）の入口が下を向いたときにも凸条（４）と凹溝（６’）が係合できるようにもう一つの凹溝（６’）を凹溝（６）が形成された反対側に形成したことと、
コップを使用した後にコップ（１）を逆さまに保管したり保管中のコップを使用するためにコップ（１）を把持して回転したりするときに凸条（４）が凹溝（６、６）から外れ易いように凹溝部（５）を弾性材質で形成し、
凹溝部（５）の一箇所は、力と弾性によって拡開できるように切り欠き部を備えることを特徴とする衛生的なコップ。
【請求項２】
コップとコップの把持部兼用受け台が別設されており、コップと把持部兼用受け台を係合すると、把持部兼用受け台を把持してコップを回転できるようになっている衛生的なコップにおいて、
コップ（３１）の側面にコップ（３１）と連結された回転軸（３５）を備え、
把持部兼用受け台（３２）は下端に受け台（３１０）を備え、
把持部兼用受け台（３２）は、受け台（３１０）と連結された把持部（３１１）を備え、その上端には回転リング（３３）を備え、
その回転リング（３３）の端部の左右に弾性材質の固定爪（３４）を備え、コップと把持部兼用受け台を組み合わせたときに固定爪（３４）の両端（３９、３９’）は中央（３８）よりも外側に突出されるようにして円形状のコップ（３１）の側面壁（３７）に当接するように形成してコップ（３１）が真っ直ぐに立っているか逆さまになっているときに固定爪（３４）の両端（３９、３９’）がコップを把持して固定できるようにしたことを特徴とする衛生的なコップ。
【発明の詳細な説明】
【技術分野】
【０００１】
本発明は、衛生的なコップに係り、さらに詳しくは、コップの内部に残留している水気を速やかに除去することのできる衛生的なコップに関する。
【背景技術】
【０００２】
一般に、家庭や食堂などにおいて水や飲料を飲むためのコップを使用して洗浄した後には、コップを逆さまに保管する。その理由は、コップの内部に残留している水気を除去することにより、細菌からの汚れや感染を予防するためである。
【０００３】
このようにコップの内部に残留している水気を除去するためには、テーブル、棚、その他の施設に別途の据置台を設けたり、コップ乾燥機を使用したりした。
【０００４】
しかしながら、工場、作業場、市場など家庭や食堂などに比べて相対的に不衛生、不潔な場所ではむしろこのような据置台やコップ乾燥機を使用することが困難である。
【０００５】
このため、ユーザーは自分のコップを使用し難い状況であれば、ほとんどの場合に使い捨て紙コップを使用するが、最近、紙コップの無駄な使用による不都合を低減するために職場において個人コップを使用する頻度が次第に増えていく傾向にある。
【０００６】
このような状況に鑑みて、安全な衛生が確保されていない場所における細菌からの汚れや感染を予防できるようにコップを乾燥しやすい施設が切望されている。
【発明の開示】
【発明が解決しようとする課題】
【０００７】
本発明は上述した従来の技術の問題点を解消するために提案されたものであり、その目的は、コップをコップの把持部と一体的に形成された受け台に回転自在に固定することのできる衛生的なコップを提供することにある。
【０００８】
本発明の他の目的は、ユーザーがコップを一方の方向に回転させて真っ直ぐに立てるか逆さまに立てる場合にこれを弾性的に密着支持したり、着脱方式により係合支持することのできる衛生的なコップを提供することにある。
【課題を解決するための手段】
【０００９】
上述した本発明の目的を達成するために、本発明の好適な第１実施形態による衛生的なコップは、コップを逆さまに保管できるようにした衛生的なコップにおいて、中身が入れられるコップ１と把持部兼用受け台２を別々に形成したことと、中身が入れられるコップ１の側面に凸条部３を形成し、把持部兼用受け台２の上端には凹溝部５を形成したことと、凸条部３の外部に凸条４を形成し、凹溝部５の内部に凹溝６、６’を形成したことと、コップ１と把持部兼用受け台２を組み合わせてコップ１の入口が上方を向いたとき、凸条４と凹溝６が係合されるように同じ位置に形成したことと、把持部兼用受け台２はそのままに放置し、コップ１のみを回転してコップ１の入口が下を向いたときにも凸条４と凹溝６’が係合できるようにもう一つの凹溝６’を凹溝６が形成された反対側に形成したことと、コップを使用した後にコップ１を逆さまに保管したり保管中のコップを使用するためにコップ１を把持して回転したりするときに凸条４が凹溝６、６から外れ易いように凹溝部５を弾性材質で形成し、凹溝部５の一箇所を力と弾性によって拡開できるように水平に切断したことを特徴とする。
【００１０】
また、本発明の他の目的を達成するために、本発明の好適な第２実施形態による衛生的なコップは、コップとコップの把持部兼用受け台が別設されており、コップが把持部兼用受け台に係合すると、把持部兼用受け台を把持してコップを回転できるようになっている衛生的なコップにおいて、コップ３１の側面にはコップ３１と連結された回転軸３５を形成し、把持部兼用受け台３２には下端に受け台３１０を水平に形成し、受け台３１０の右上方に把持部３１１を形成し、その上端には回転リング３３を水平に形成し、その回転リング３３の左端に左右に弾性材質の固定爪３４が形成され、コップと把持部兼用受け台を組み合わせたときに固定爪３４の両端３９、３９’は中央３８よりも左側に突出されるようにして円形状のコップ３１の側面壁３７に当接するように形成してコップ３１が真っ直ぐに立っているか逆さまになっているときに固定爪３４の両端３９、３９’がコップを把持して固定できるようにしたことを特徴とする。
【発明の効果】
【００１１】
このような本発明の好適な実施形態による衛生的なコップは、水飲みコップや歯磨きコップを使用した後に別途の設置なしにコップを把持して１８０°回して逆さまに保管すれば、コップに残留している水が直ちに抜け出て速やかに乾燥されて各種の汚れ、細菌繁殖などを防ぐことができて衛生面からみて卓越した効果がある。
【図面の簡単な説明】
【００１２】
【図１】本発明の第１実施形態による衛生的なコップの斜視図である。
【図２】本発明の第１実施形態による衛生的なコップの縦断面図である。
【図３】本発明の図２の衛生的なコップの「Ａ」部分の横断面図である。
【図４】本発明の図２の衛生的なコップの「Ａ」部分の横断面図である。
【図５】本発明の図２の衛生的なコップの「Ａ」部分の実施中の縦断面図である。
【図６】本発明の第１実施形態による衛生的なコップの凹溝部の斜視図である。
【図７】本発明の第１実施形態による衛生的なコップの凸条部の斜視図である。
【図８】本発明の第１実施形態による衛生的なコップの正面図である。
【図９】本発明の第２実施形態による衛生的なコップの斜視図である。
【図１０】本発明の第２実施形態による衛生的なコップの斜視図である。
【図１１】本発明の第２実施形態による衛生的なコップの縦断面図である。
【図１２】本発明の第２実施形態による衛生的なコップの横断面図である。
【図１３】本発明の第２実施形態による衛生的なコップの９０°回転中の横断面図である。
【図１４】本発明の第２実施形態による衛生的なコップの回転リングと固定爪の拡大図である。
【発明を実施するための形態】
【００１３】
以下、添付図面に基づき、本発明の好適な実施形態による衛生的なコップの構成と動作について詳細に説明する。
【００１４】
＜第１実施形態＞
以下、添付図面に基づき、本発明の第１実施形態による衛生的なコップについて詳細に説明する。
【００１５】
本発明の第１実施形態による衛生的なコップは、図２及び図７において、コップ１の側面にコップと連結されるように凸条部３を形成し、凸条部３の外部に凸条４を形成し、コップ１の上端８は左右側の１〜２箇所を上端中央よりも高く形成し、下端９は下方に凸状に膨らむように形成し、図２及び図６において、把持部兼用受け台２は受け台７を水平に形成し、受け台７の右上方に把持部１２を形成し、その上端には凹溝部５を形成し、凹溝部５の内部に凹溝６を形成し、凹溝部５の上端は力と弾性によって拡開されるように水平に切断して構成される。
【００１６】
このような構成を有するコップ１と把持部兼用受け台２を係合するためにコップ１の凸条部３を凹溝部５に嵌め込むと、凸条４と凹溝６が図３及び図４に示すように係合されて図１及び図２に示すように組み立てられる。
【００１７】
最初に、図１に示すように、ユーザーがコップを使用した後にコップ１を回すと、図５に示すように弾性によって凹溝部５が左右に拡開されながらコップ１が回転され、コップ１が１８０°回転すると、凸条４は凹溝６’に、凸条４’は凹溝６に係合されて、図８に示すように、コップ１が逆さまに立つと、コップ１内に残留している水が全て抜け出る。
【００１８】
次いで、ユーザーがコップを再び使用したい場合には、コップ１を把持して１８０°回して図８から図１の形状に戻し、コップの形状が図１の形状に戻ると、ユーザーはコップ１に水を受けて使用すればよく、使用し終わった後には再び１８０°回して図８に示すように保管すると、常にきれいなコップを使用することができる。
【００１９】
また、コップ１の上端８は左右側の１〜２箇所を上端中央よりも高く形成し、下端９は下方に凸状に膨らむように形成することにより、コップ１を逆さまにしたときに、水がついている箇所が全て水平になることなく、垂直になるか、あるいは、傾斜するため、ついている水をさらに速やかに除去することができる。
【００２０】
＜第２実施形態＞
以下、添付図面に基づき、本発明の第２実施形態による衛生的なコップについて詳細に説明する。
【００２１】
コップ３１の側面にコップ３１と連結されるように回転軸３５を形成し、把持部兼用受け台３２は下端に受け台３１０を水平に形成し、その受け台３１０の右上方に把持部３１１を形成し、その上端には回転リング３３を水平に形成し、その回転リング３３の左端に左右に弾性材質の固定爪３４を、固定爪３４の中央３８がコップ３１の回転軸壁面３６に当接する箇所であり、且つ、固定爪３４の両端３９、３９’が円形状のコップ３１の側面壁３７に当接するように形成する。
【００２２】
このような構成を有するコップ３１と把持部兼用受け台３２を係合してユーザーが最初に図９に示すようにコップを真っ直ぐに立てて使用していて保管するためにコップを約９０°前や後に回転させると、その力によって図１３に示すようにコップ３１の左側面である回転軸壁面３６が固定爪３４の両端３９、３９’を押すと、固定爪３４の両端３９、３９’は弾力によって後方に押されていて、コップが１８０°回転されたときに図１０、図１２及び図１４に示すように固定爪３４の両端３９、３９’は弾力によって元の場所に戻ってコップを把持するためコップは逆さまに固定される。
【００２３】
このように逆さまにコップを保管することにより、コップに残留している水気を早期に除去することができ、再びコップを使用するときにはコップ３１を把持して回すと固定爪３４の両端は弾力によって再び後方に押されていて、１８０°回転後には固定爪の両端３９、３９’の弾力によって元の場所に戻ってコップを把持して図９に示すように直ちに使用することができる。
【００２４】
以上の説明は本発明の技術思想を例示的に説明したものに過ぎず、本発明が属する技術分野において通常の知識を有する者であれば、本発明の本質的な特性から逸脱しない範囲内において様々な修正及び変形を行うことができる筈である。よって、本発明に開示された実施形態は本発明の技術思想を限定するためのものではなく、単に説明するためのものであり、このような実施形態によって本発明の技術思想の範囲が限定されるわけではない。本発明の保護範囲は下記の請求範囲によって解釈されるべきであり、それと同等な範囲内にあるあらゆる技術思想は本発明の権利範囲に含まれるものと解釈されるべきである。
【図１】
0005944048.tif 000002
【図２】
0005944048.tif 000003
【図３】
0005944048.tif 000004
【図４】
0005944048.tif 000005
【図５】
0005944048.tif 000006
【図６】
0005944048.tif 000007
【図７】
0005944048.tif 000008
【図８】
0005944048.tif 000009
【図９】
0005944048.tif 000010
【図１０】
0005944048.tif 000011
【図１１】
0005944048.tif 000012
【図１２】
0005944048.tif 000013
【図１３】
0005944048.tif 000014
【図１４】
0005944048.tif 000015